(57)【要約】  本開示は、第三者発呼の音声プロンプトのためのシステム及び方法を提供する。システムは、連絡先識別モジュール、ハンズフリー制御モジュール及び音声放送モジュールを含む。連絡先識別モジュールは、通信装置のアドレス帳に第三者着呼番号が存在するか否かを識別するためのものである。ハンズフリー制御モジュールは、第三者発呼が着呼するときに、現在の通話状態を抽出し、現在の通話がハンズフリーモードであるか否かを判断するのに役立たせるためのものである。音声放送モジュールは、現在の通話がハンズフリーモードでない場合、連絡先識別モジュールの識別結果に基づいて、着呼の情報を音声放送するためのものである。本システムは、現在の通話を中断せずに第三者着呼の情報を放送することができるので、現在の通話の重要な内容を逃さないようにすることができる。
2019512929.tif 000002
【特許請求の範囲】
【請求項１】
第三者発呼の音声プロンプトのためのシステムであって、連絡先識別モジュールと、ハンズフリー制御モジュールと、音声放送モジュールとを含み、
前記連絡先識別モジュールは、通信装置のアドレス帳に第三者着呼番号が存在するか否かを識別するように構成され、
前記ハンズフリー制御モジュールは、第三者発呼が着呼するときに、現在の通話の状態を抽出し、前記現在の通話がハンズフリーモードであるか否かを判断するのに役立つように構成され、
前記音声放送モジュールは、前記現在の通話がハンドセットモードである場合、前記連絡先識別モジュールの識別結果に基づいて、前記第三者着呼の情報を音声放送するように構成されている、ことを特徴とする第三者発呼の音声プロンプトのためのシステム。
【請求項２】
前記音声放送モジュールは、前記着呼番号が前記通信装置の前記アドレス帳に存在する場合、前記着呼番号に対応する連絡先を放送し、又は、前記着呼番号が前記通信装置の前記アドレス帳に存在していない場合、前記着呼番号を放送し又は前記着呼を見知らぬ人として放送する、ことを特徴とする請求項１に記載の第三者発呼の音声プロンプトのためのシステム。
【請求項３】
前記音声放送モジュールは、前記着呼番号が前記通信装置の前記アドレス帳に存在する場合、前記連絡先の事業所名及び／又は連絡先の地位を更に放送する、ことを特徴とする請求項２に記載の第三者発呼の音声プロンプトのためのシステム。
【請求項４】
前記システムは、通話履歴統計モジュールを更に含み、前記通話履歴統計モジュールは、前記着呼の累積ダイヤル数及び／又は累積応答数を記録するように構成され、前記音声放送モジュールは、前記着呼番号が前記通信装置の前記アドレス帳に存在していない場合、前記着呼の累積ダイヤル数及び／又は累積応答数を更に放送する、ことを特徴とする請求項２に記載の第三者発呼の音声プロンプトのためのシステム。
【請求項５】
前記システムは、表示モジュールを更に含み、前記表示モジュールは、前記着呼番号が前記通信装置の前記アドレス帳に存在し且つ現在の通話がハンズフリーモードである場合、前記着呼番号に対応する連絡先を表示し、又は、前記着呼番号が前記通信装置の前記アドレス帳に存在せず且つ現在の通話がハンズフリーモードである場合、着呼番号を表示し若しくは着呼を見知らぬ人の発呼として表示するように構成されている、ことを特徴とする請求項１に記載の第三者発呼の音声プロンプトのためのシステム。
【請求項６】
前記表示モジュールは、前記着呼番号が前記通信装置の前記アドレス帳に存在する場合、連絡先の事業所名及び／又は連絡先の地位を更に表示する、ことを特徴とする請求項５に記載の第三者発呼の音声プロンプトのためのシステム。
【請求項７】
前記システムは、通話履歴統計モジュールを更に含み、前記通話履歴統計モジュールは、前記着呼の累積ダイヤル数及び／又は累積応答数を記録するように構成され、前記表示モジュールは、前記着呼番号が前記通信装置の前記アドレス帳に存在していない場合、前記着呼の累積ダイヤル数及び／又は累積応答数を更に表示する、ことを特徴とする請求項５に記載の第三者発呼の音声プロンプトのためのシステム。
【請求項８】
前記システムは、音量制御モジュールを更に含み、前記音量制御モジュールは、前記現在の通話の音量を取得し、前記音声放送モジュールの音量出力を制御して、前記音声放送モジュールにより放送された音量を前記現在の通話の音量より小さくするように構成されている、ことを特徴とする請求項１に記載の第三者発呼の音声プロンプトのためのシステム。
【請求項９】
第三者発呼の音声プロンプトのための方法であって、
連絡先識別モジュールによって、通信装置のアドレス帳に第三者着呼番号が存在するか否かを識別するステップと、
ハンズフリー制御モジュールによって、現在の通話がハンズフリーモードであるか否かを判断するステップと、
前記現在の通話がハンドセットモードである場合、前記連絡先識別モジュールの識別結果に基づいて音声放送モジュールによって着呼の情報を放送するステップとを含む、ことを特徴とする第三者発呼の音声プロンプトのための方法。
【請求項１０】
前記現在の通話がハンドセットモードである場合、前記連絡先識別モジュールの識別結果に基づいて音声放送モジュールによって着呼の情報を放送する前記ステップにおいて、
前記着呼番号が前記通信装置の前記アドレス帳に存在する場合、前記音声放送モジュールは、前記着呼の連絡先名を放送し、
前記着呼番号が前記通信装置の前記アドレス帳に存在していない場合、前記音声放送モジュールは、前記着呼番号を放送し又は前記着呼を見知らぬ人の発呼として放送する、ことを特徴とする請求項９に記載の第三者発呼の音声プロンプトのための方法。
【請求項１１】
前記着呼番号が前記通信装置の前記アドレス帳に存在する場合、前記方法は、
前記連絡先識別モジュールによって前記通信装置の前記アドレス帳から連絡先の事業所名及び／又は連絡先の地位を抽出するステップと、
音声放送モジュールによって連絡先の事業所名及び／又は連絡先の地位を放送するステップとを更に含む、ことを特徴とする請求項１０に記載の第三者発呼の音声プロンプトのための方法。
【請求項１２】
前記方法は、
現在の通話がハンズフリーモードである場合、前記連絡先識別モジュールの識別結果に基づいて表示モジュールによって、前記着呼の情報を表示するステップを更に含む、ことを特徴とする請求項９に記載の第三者発呼の音声プロンプトのための方法。
【請求項１３】
前記現在の通話がハンズフリーモードである場合、表示モジュールによって前記着呼の前記情報を表示する前記ステップでは、
前記着呼番号が前記通信装置の前記アドレス帳に存在する場合、前記表示モジュールは、前記着呼の連絡先名を表示し、
前記着呼番号が前記通信装置の前記アドレス帳に存在していない場合、前記表示モジュールは、前記着呼番号を表示し又は前記着呼を見知らぬ人の発呼として表示する、ことを特徴とする請求項１２に記載の第三者発呼の音声プロンプトのための方法。
【請求項１４】
前記着呼番号が前記通信装置の前記アドレス帳に存在する場合、前記方法は、
前記連絡先識別モジュールによって前記通信装置の前記アドレス帳から連絡先の事業所名及び／又は連絡先の地位を抽出するステップと、
前記表示モジュールによって前記連絡先の事業所名及び／又は連絡先の地位を表示するステップとを更に含む、ことを特徴とする請求項１３に記載の第三者発呼の音声プロンプトのための方法。
【請求項１５】
前記方法は、
通話履歴統計モジュールによって前記着呼の累積ダイヤル数及び／又は累積応答数を記憶するステップと、
前記着呼番号が前記通信装置の前記アドレス帳に存在していない場合、前記音声放送モジュール又は表示モジュールによって前記着呼の前記累積ダイヤル数及び／又は前記累積応答数を放送又は表示するステップとを更に含む、ことを特徴とする請求項９に記載の第三者発呼の音声プロンプトのための方法。
【請求項１６】
前記方法は、
音量制御モジュールによって前記現在の通話の音量を取得するステップと、
前記音量制御モジュールによって前記音声放送モジュールの音量出力を制御し、前記音声放送モジュールにより放送された前記音量を前記現在の通話の前記音量より小さくするステップとを更に含む、ことを特徴とする請求項９に記載の第三者発呼の音声プロンプトのための方法。
【発明の詳細な説明】
【技術分野】
【０００１】
関連出願の相互参照
本願は、２０１６年５月４日に出願された第２０１６１０２９２８０３．８号の中国特許出願に基づくものであり、その優先権を主張する。明細書、図面及び特許請求の範囲を含む上記出願の全開示内容は、全体として参照により本明細書に組み込まれる。
【０００２】
本開示は、移動通信技術に関し、特に第三者発呼の音声プロンプトのためのシステム及び方法に関する。
【背景技術】
【０００３】
現在、携帯電話は、なくてはならない日常的な通信ツールになり、社会生活の中で重要な役割を果たしている。携帯電話は、被呼端末が通話中である場合、第三者が発呼すると、ネットワークオペレータによって「ディディ」の音が電話に提供され、電話が呼び出しインタフェースの上で着呼の電話番号を示す。着呼の電話番号が、アドレス帳に既に記憶されている連絡先に対応する場合、連絡先の名前が表示される。表示された情報によれば、ユーザは、既存の通話を保持し、着呼に応答するか、又は着呼を切断するか、着呼を無視するかを選択することができる。しかしながら、このような操作には問題がある。即ち、ユーザが着呼に如何に対応するかを決定する必要がある場合、電話を耳から離して画面を見てから決定を下す必要があり、これは現在の通話に影響を及ぼし、ユーザが現在の通話における重要な情報を失う。ユーザが画面を見ずに着呼を無視すると、重要な電話を逃す可能性がある。これは、特に非常に重要な電話を逃した状況で、ユーザの仕事や生活に影響を及ぼす可能性がある。
【発明の概要】
【発明が解決しようとする課題】
【０００４】
上述の理由から、本開示は、ユーザが現在の通話を切断せずに第三者着呼に対して決定を下すことができる第三者発呼の音声プロンプトのためのシステム及び方法を提供する。
【０００５】
本開示の実施形態は、移動端末に適用される第三者発呼の音声プロンプトのためのシステムを提供する。システムは、連絡先識別モジュール、ハンズフリー制御モジュール及び音声放送モジュールを含む。連絡先識別モジュールは、通信装置のアドレス帳に第三者着呼番号が存在するか否かを識別するように構成されている。ハンズフリー制御モジュールは、第三者発呼が着呼するときに、現在の通話の状態を抽出し、現在の通話がハンズフリーモードであるか否かを判断するのに役立つように構成されている。音声放送モジュールは、現在の通話がハンドセットモードである場合、連絡先識別モジュールの識別結果に基づいて、第三者着呼の情報を音声放送するように構成されている。
【０００６】
本開示の実施形態では、音声放送モジュールは、着呼番号が通信装置のアドレス帳に存在する場合、着呼番号に対応する連絡先を放送し、又は、着呼番号が通信装置のアドレス帳に存在していない場合、着呼番号を放送し又は着呼を見知らぬ人として放送する。
【０００７】
本開示の実施形態では、音声放送モジュールは、着呼番号が通信装置のアドレス帳に存在する場合、連絡先の事業所名及び／又は連絡先の地位を更に放送する。
【０００８】
本開示の実施形態では、システムは、通話履歴統計モジュールを更に含む。前記通話履歴統計モジュールは、着呼の累積ダイヤル数及び／又は累積応答数を記録するように構成されている。音声放送モジュールは、着呼番号が通信装置のアドレス帳に存在していない場合、着呼の累積ダイヤル数及び／又は累積応答数を更に放送する。
【０００９】
本開示の実施形態では、システムは、表示モジュールを更に含む。表示モジュールは、着呼番号が通信装置のアドレス帳に存在し且つ現在の通話がハンズフリーモードである場合、着呼番号に対応する連絡先を表示し、又は、番号が通信装置のアドレス帳に存在せず且つ現在の通話がハンズフリーモードである場合、着呼番号を表示し若しくは着呼を見知らぬ人の発呼として表示するように構成されている。
【００１０】
本開示の実施形態では、表示モジュールは、着呼番号が通信装置のアドレス帳に存在する場合、連絡先の事業所名及び／又は連絡先の地位を更に表示する。
【００１１】
本開示の実施形態では、システムは、通話履歴統計モジュールを更に含む。前記通話履歴統計モジュールは、着呼の累積ダイヤル数及び／又は累積応答数を記録するように構成されている。表示モジュールは、着呼番号が通信装置のアドレス帳に存在していない場合、着呼の累積ダイヤル数及び／又は累積応答数を更に表示する。
【００１２】
本開示の実施形態では、システムは、音量制御モジュールを更に含む。前記音量制御モジュールは、現在の通話の音量を取得し、音声放送モジュールの音量出力を制御して、音声放送モジュールにより放送された音量を現在の通話の音量より小さくするように構成されている。
【００１３】
本開示は、第三者発呼の音声プロンプトのための方法を更に提供する。この方法は、連絡先識別モジュールによって、通信装置のアドレス帳に第三者着呼番号が存在するか否かを識別するステップと、ハンズフリー制御モジュールによって、現在の通話がハンズフリーモードであるか否かを判断するステップと、現在の通話がハンドセットモードである場合、連絡先識別モジュールの識別結果に基づいて音声放送モジュールによって着呼の情報を放送するステップと、を含む。
【００１４】
本開示の実施形態では、現在の通話がハンドセットモードである場合、連絡先識別モジュールの識別結果に基づいて音声放送モジュールによって着呼の情報を放送するステップにおいて、着呼番号が通信装置のアドレス帳に存在する場合、音声放送モジュールは、着呼の連絡先名を放送し、着呼番号が通信装置のアドレス帳に存在していない場合、音声放送モジュールは、着呼番号を放送し又は着呼を見知らぬ人の発呼として放送する。
【００１５】
本開示の実施形態では、着呼番号が通信装置のアドレス帳に存在する場合、方法は、連絡先識別モジュールによって通信装置のアドレス帳から連絡先の事業所名及び／又は連絡先の地位を抽出するステップと、音声放送モジュールによって連絡先の事業所名及び／又は連絡先の地位を放送するステップと、を更に含む。
【００１６】
本開示の実施形態では、方法は、現在の通話がハンズフリーモードである場合、連絡先識別モジュールの識別結果に基づいて表示モジュールによって、着呼の情報を表示するステップを更に含む。
【００１７】
本開示の実施形態では、現在の通話がハンズフリーモードである場合、表示モジュールによって着呼の情報を表示するステップにおいて、着呼番号が通信装置のアドレス帳に存在する場合、表示モジュールは、着呼の連絡先名を表示し、着呼番号が通信装置のアドレス帳に存在していない場合、表示モジュールは、着呼番号を表示し又は着呼を見知らぬ人の発呼として表示する。
【００１８】
本開示の実施形態では、着呼番号が通信装置のアドレス帳に存在する場合、方法は、連絡先識別モジュールによって通信装置のアドレス帳から連絡先の事業所名及び／又は連絡先の地位を抽出するステップと、表示モジュールによって連絡先の事業所名及び／又は連絡先の地位を表示するステップと、を更に含む。
【００１９】
本開示の実施形態では、方法は、通話履歴統計モジュールによって着呼の累積ダイヤル数及び／又は累積応答数を記憶するステップと、着呼番号が通信装置のアドレス帳に存在していない場合、音声放送モジュール又は表示モジュールによって着呼の累積ダイヤル数及び／又は累積応答数を放送又は表示するステップと、を更に含む。
【００２０】
本開示の実施形態では、方法は、音量制御モジュールによって現在の通話の音量を取得するステップと、音量制御モジュールによって音声放送モジュールの音量出力を制御し、音声放送モジュールにより放送された音量を現在の通話の音量より小さくするステップと、を更に含む。
【００２１】
本開示の第三者発呼の音声プロンプトのためのシステム及び方法は、連絡先識別モジュールを用いて、第三者着呼番号が通信装置のアドレス帳に存在するか否かを検出し、ハンズフリー制御モジュールを用いて、現在の通話がハンズフリーモードになっているか否かを判断するのに役立ち、現在の通話がハンドセットモードである場合、音声放送モジュールを用いて、第三者着呼の情報を放送する。従って、通信装置の受話器を耳から離さずに、第三者着呼に応答するか否かの決定を下すことができ、重要な内容及び重要な着呼を逃すことがない。
【００２２】
上記の目的、特徴及び利点がより明らかになり且つ理解できるようにするために、好ましい実施形態及び図面に伴う詳細な説明を以下に示す。
【図面の簡単な説明】
【００２３】
【図１】本開示の実施形態に係る第三者発呼の音声プロンプトのためのシステムのブロック図を示す。
【図２】本開示の実施形態に係る第三者発呼の音声プロンプトのための方法のフローチャートを示す。
【発明を実施するための形態】
【００２４】
本開示の実施形態は、実施形態の図面を参照して、より明らかに完全に説明される。明らかに、例示された実施形態は、本開示の一部の実施形態にすぎず、全てではない。例示された実施形態による当業者によって創造性なしに得ることができる他の全ての実施形態は、本開示の範囲内で請求される。
【００２５】
図１は、本開示の実施形態に係る第三者発呼の音声プロンプトのためのシステムのブロック図を示す。図１を参照すると、第三者発呼の音声プロンプトのためのシステムは、音声通信モジュール１０、連絡先識別モジュール２０、ハンズフリー制御モジュール３０、音声放送モジュール４０、音量制御モジュール５０及び表示モジュール６０を含む。
【００２６】
音声通信モジュール１０は、通信装置の音声通話を監視及び制御するように構成されている。それはユーザの操作に応じて発呼し、着呼があった場合に被呼者と発呼ユーザとの間の接続を確立することができ、さらに、通信装置が電話中に第三者発呼要求を受信し、ダイヤル又は着呼番号を連絡先識別モジュール２０に送信することができる。本開示において、通信装置は、携帯電話、地上回線電話機、又は他の有線若しくは無線通信装置であってもよい。
【００２７】
連絡先識別モジュール２０は、音声通信モジュール１０、音声放送モジュール４０及び表示モジュール６０と信号接続されている。連絡先識別モジュール２０は、ダイヤルされた番号又は着呼番号が通信装置のアドレス帳に存在するか否かを識別し、ダイヤルされた番号又は着呼番号がアドレス帳に存在する場合、連絡先名などの着呼情報を抽出しこの情報を表示モジュール６０に送信し、又は、ダイヤルされた番号又は着呼番号がアドレス帳に存在していない場合、ダイヤルされた番号又は着呼番号を表示モジュール６０に直接送信するように構成されている。連絡先識別モジュール２０はまた、着呼番号、特に第三者着呼番号がアドレス帳に存在する場合、連絡先に対応する名前、連絡先の事業所名、連絡先の地位などの着呼情報をアドレス帳から抽出し、この情報を音声放送モジュール４０に送信し、又は、着呼番号、特に第三者着呼番号がアドレス帳に存在していない場合、着呼番号を音声放送モジュール４０に直接送信することもできる。本開示において、連絡先の名前は、連絡先の姓及び名の組み合わせに限定されず、連絡先の名、連絡先のニックネーム、連絡先の英名、連絡先のコード名、又は他の連絡先を識別できる名前であってもよい。
【００２８】
ハンズフリー制御モジュール３０は、音声通信モジュール１０、表示モジュール６０及び音声放送モジュール４０と信号接続されている。ハンズフリー制御モジュール３０は、第三者発呼が着呼するとき、現在の通話がハンズフリーモードであるか否かをシステムが判断するのに役立つように、現在の通話の状態を抽出して、現在の通話がハンドセットモードであるがハンズフリーモードではない場合、連絡先識別モジュール２０の識別結果に基づいて着呼情報を放送するように音声放送モジュール４０に通知し、又は、現在の通話がハンズフリーモードである場合、連絡先識別モジュール２０の識別結果に基づいて着呼情報を表示するように表示モジュール６０に通知することができる。本開示において、ハンドセットモードは、通信装置のハンドセットによって着呼を直接受信し、ブルートゥース(登録商標)又はケーブル伝送技術によって無線ヘッドセット又は有線ヘッドセットによって着呼を受信することを含む。
【００２９】
音声放送モジュール４０は、連絡先識別モジュール２０から情報を受信して、連絡先識別モジュール２０の識別結果に基づいて着呼情報を音声放送し、特に第三者発呼が着呼するとき、連絡先識別モジュール２０の識別結果に基づいて着呼情報を音声放送するために、ハンズフリー制御モジュール３０及び連絡先識別モジュール２０と信号接続される。本開示において、音声放送は、実際の音声の形態で着呼情報を復唱することを意味する。着呼情報の内容は、連絡先の名前、連絡先の事業所名、連絡先の地位、着呼番号、見知らぬ人の発呼などを含んでもよい。より具体的には、着呼番号が通信装置のアドレス帳に存在する場合、音声放送モジュール４０は、着呼番号に対応する連絡先を放送し、放送される情報の内容は、「ＸＸＸ（連絡先名）」又は「ＸＸＸが電話をしている」であることができる。着呼番号が通信装置のアドレス帳に存在していない場合、音声放送モジュール４０は着呼番号を放送し又は着呼を見知らぬ人の発呼として放送する。内容は、「見知らぬ人」、「見知らぬ人の電話」、「見知らぬ人が電話をしている」、「ＸＸＸＸ（電話番号）」、「ＸＸＸＸ（電話番号）が電話をしている」などであることができる。さらに、着呼番号が通信装置のアドレス帳に存在する場合、連絡先の事業所名及び／又は連絡先の地位を放送内容に添加することができるので、ユーザは放送の内容に基づいて判断を下すことができる。特に、発呼者が長時間ユーザと連絡せず、ユーザが連絡先を忘れ又は連絡先の基本情報を忘れた場合、連絡先の事業所名及び／又は連絡先の地位を放送することは、ユーザの取得した情報を増加させることができ、ユーザが連絡先を思い出し着呼に応答するか否かを決定するのに役立つ。
【００３０】
音量制御モジュール５０は、音声通信モジュール１０から現在の通話の音量を取得し音声放送モジュール４０の音量出力を制御して、音声放送モジュール４０によって放送された音量を現在の通話の音量より数レベル小さくするために、音声通信モジュール１０及び音声放送モジュール４０と信号接続される。好ましくは、放送音量は、現在の通話の音量の２レベルより小さい。本開示において、１つの音量レベルは、通信装置の音量調整キーを１回押すことによって調整された音量に対応する。放送の音量は現在の通話の音量より小さいため、ユーザは、現在の通話を切断せずに音声放送モジュール４０によって放送された情報を聞くことができ、現在の通話の重要な内容を失うのを回避することができる。さらに、通信装置のハンドセットが耳から離されることなく、第三者発呼の放送内容に基づいて決定が下されるため、重要な内容及び重要な着呼は逃さない。
【００３１】
さらに、本開示の第三者発呼の音声プロンプトのためのシステムは、通話履歴統計モジュール７０を更に含む。通話履歴統計モジュール７０は、着呼の累積ダイヤル数（即ち、累積ダイアルイン回数）及び／又は累積応答数を記録し、累積数を放送するように音声放送モジュール４０に通知するために、音声通信モジュール１０及び音声放送モジュール４０と信号接続される。特に、着呼番号が通信装置のアドレス帳に存在していない場合、即ち、着呼番号がよく知らない番号である場合、着呼の累積ダイヤル数及び／又は累積応答数を放送することは、ユーザが着呼番号を予備的に判断するのに役立ち、有用な着呼を逃すのを回避することができる。ユーザが特定の期間内に電話番号に連絡する必要があるが、将来その電話番号に連絡する必要がない場合、電話番号はアドレス帳に記憶されず、長い時間後に忘れやすいので、着呼の累積ダイヤル数及び／又は累積応答数を放送することは、ユーザが誤った判断を下すことを回避し、ユーザが着呼に応答するか否かに対して行う判断の精度を向上させることができる。さらに、ユーザの判断の精度を向上させるために、通話履歴統計モジュール７０は、着呼の最近のダイヤルイン時間、着呼の最近の応答時間、着呼の最近の応答時間、着呼のダイヤルアウト回数、及び着呼の最近のダイヤルアウト時間などの補助情報を更に記録し、補助情報を音声放送モジュール４０に伝送して、ユーザが得た情報を増加させて正確な決定を下すのに役立つことができる。
【００３２】
なお、通信装置が電話中に、音声放送モジュール４０によって放送された音量は、現在の通話の音量より小さい必要がある。通信装置に現在の電話がない場合、音声放送モジュール３０の音量は、通信装置の現在の音量設定に等しいことができる。
【００３３】
上記の説明によれば、本開示の第三者発呼の音声プロンプトのためのシステムは、連絡先識別モジュール２０を用いて、第三者着呼番号が通信装置のアドレス帳に存在するか否かを検出し、ハンズフリー制御モジュール３０を用いて、現在の通話がハンズフリーモードになっているか否かを判断するのに役立ち、現在の通話がハンドセットモードである場合、音声放送モジュール４０を用いて、第三者着呼の情報を放送する。従って、通信装置の受話器を耳から離さずに、第三者着呼に応答するか否かの決定を下すことができ、重要な内容及び重要な着呼を逃すことがない。
【００３４】
図２を参照すると、本開示の第三者発呼の音声プロンプトのための方法は、ステップ１〜ステップ４を含む。
【００３５】
ステップ１では、連絡先識別モジュール２０によって、通信装置のアドレス帳に第三者着呼番号が存在するか否かを識別する。
【００３６】
ステップ２では、ハンズフリー制御モジュール３０によって、現在の通話がハンズフリーモードであるか否かを判断する。
【００３７】
ステップ３では、現在の通話がハンズフリーモードである場合、表示モジュール６０によって着呼情報を表示する。より具体的には、着呼番号が通信装置のアドレス帳に存在する場合、表示モジュール６０は、着呼の連絡先名を表示する。着呼番号が通信装置のアドレス帳に存在していない場合、表示モジュール６０は、着呼番号を表示し又は着呼を見知らぬ人の発呼として表示する。
【００３８】
ステップ４では、現在の通話がハンドセットモードである場合、連絡先識別モジュール２０の識別結果に基づいて、音声放送モジュール４０によって着呼情報を放送する。より具体的には、着呼番号が通信装置のアドレス帳に存在する場合、音声放送モジュール４０は、着呼の連絡先名を放送する。着呼番号が通信装置のアドレス帳に存在していない場合、音声放送モジュール４０は、着呼番号を放送し又は着呼を見知らぬ人の発呼として放送する。
【００３９】
放送内容が現在の通話と干渉することを回避するために、音声放送モジュール４０の音量は現在の通話の音量より小さい。この目的のために、本開示の方法は、以下のステップ５〜ステップ６を更に含む。
【００４０】
ステップ５では、音量制御モジュール５０によって現在の通話の音量を取得する。
【００４１】
ステップ６では、音量制御モジュール５０によって音声放送モジュール４０の音量出力を制御し、音声放送モジュール４０によって放送された音量を現在の通話の音量より数レベル小さくする。
【００４２】
また、着呼番号が通信装置のアドレス帳に存在する場合、音声放送モジュール４０は、着呼番号に対応する連絡先の事業所名及び／又は連絡先の地位を更に放送することができる。音声放送モジュール４０が着呼番号に対応する連絡先の事業所名及び／又は連絡先の地位を放送する実施形態では、本開示の方法は以下のステップ７〜ステップ８を更に含む。
【００４３】
ステップ７では、連絡先識別モジュール２０によって通信装置のアドレス帳から連絡先の事業所名及び／又は連絡先の地位を抽出する。
【００４４】
ステップ８では、音声放送モジュール４０によって連絡先の事業所名及び／又は連絡先の地位を放送する。
【００４５】
着呼番号が通信装置のアドレス帳に存在する場合、表示モジュール６０は、着呼番号に対応する連絡先の事業所名及び／又は連絡先の地位を更に表示する。表示モジュール６０が着呼番号に対応する連絡先の事業所名及び／又は連絡先の地位を表示する実施形態では、本開示の方法は以下のステップ９〜ステップ１０を更に含む。
【００４６】
ステップ９では、連絡先識別モジュール２０によって通信装置のアドレス帳から連絡先の事業所名及び／又は連絡先の地位を抽出する。
【００４７】
ステップ１０では、表示モジュール６０によって連絡先の事業所名及び／又は連絡先の地位を表示する。
【００４８】
また、着呼番号が通信装置のアドレス帳に存在していない場合、表示モジュール６０は、着呼の累積ダイヤル数及び／又は累積応答数を更に表示することができる。表示モジュール６０が着呼の累積ダイヤル数及び／又は累積応答数を更に表示する実施形態では、本開示の方法は以下のステップ１１〜ステップ１２を更に含む。
【００４９】
ステップ１１では、通話履歴統計モジュール７０によって着呼の累積ダイヤル数及び／又は累積応答数を記憶する。
【００５０】
ステップ１２では、表示モジュール６０によって着呼の累積ダイヤル数及び／又は累積応答数を表示する。
【００５１】
着呼番号が通信装置のアドレス帳に存在していない場合、音声放送モジュール４０は、着呼の累積ダイヤル数及び／又は累積応答数を更に放送することができる。音声放送モジュール４０が着呼の累積ダイヤル数及び／又は累積応答数を更に放送する実施形態では、本開示は以下のステップ１３〜ステップ１４を更に含む。
【００５２】
ステップ１３では、通話履歴統計モジュール７０によって着呼の累積ダイヤル数及び／又は累積応答数を記憶する。
【００５３】
ステップ１４では、音声放送モジュール４０によって着呼の累積ダイヤル数及び／又は累積応答数を放送する。
【００５４】
なお、本開示の第三者発呼の音声プロンプトのための方法の各ステップは、上記の配置順に限定されるものではなく、配置の順番を適切に変更することができる。
【００５５】
上記の説明によれば、本開示の第三者発呼の音声プロンプトのための方法は、連絡先識別モジュール２０を用いて、第三者着呼番号が通信装置のアドレス帳に存在するか否かを検出し、ハンズフリー制御モジュール３０を用いて、現在の通話がハンズフリーモードになっているか否かを判断するのに役立ち、現在の通話がハンドセットモードである場合、音声放送モジュール４０を用いて、第三者着呼の情報を放送する。従って、通信装置の受話器を耳から離さずに、第三者着呼に応答するか否かの決定を下すことができ、重要な内容及び重要な着呼を逃すことがない。さらに、音声放送モジュール４０は、着呼番号が通信装置のアドレス帳に存在する場合、着呼番号に対応する連絡先の事業所名及び／又は連絡先の地位を更に放送することができ、又は、着呼番号が通信装置のアドレス帳に存在していない場合、着呼の累積ダイヤル数及び／又は累積応答数を更に放送することができる。これは、ユーザが取得した情報を増加させて、ユーザが連絡先又は連絡先に関する情報を思い出して、ユーザが正確な決定を下すのに役立つ。
本発明は、現在最も現実的で好ましい実施形態と考えられるものに関してのみ記載されているが、本発明は開示された実施形態に限定される必要がないことを理解されたい。逆に、全てのそのような修正及び類似の構造を包含するように最も広義の解釈に従う、従属請求項の趣旨及び範囲内に含まれる様々な修正及び類似の配置を含むことが意図される。
【図１】
2019512929.tif 000003
【図２】
2019512929.tif 000004
【国際調査報告】
2019512929.tif 000005
2019512929.tif 000006
2019512929.tif 000007